(57)【要約】【課題】会議参加者の状態をより的確に会議の進行に反映させることが可能な技術を提供する。【解決手段】会議システム１は、会議中における会議の参加者の生体情報（参加者の状態を反映して変化する生体情報）をウエアラブル端末５０を用いて取得する。また、会議システム１は、参加者の当該生体情報に基づいて参加者の心理状態を判定し、参加者の心理状態に関する判定結果に基づいて会議への提案内容を決定する。たとえば、複数の参加者のうち所定程度以上の参加者が特定の心理状態（尿意、疑問等）を有している旨が複数の参加者の生体情報に基づいて判定される場合、当該特定の心理状態に対応する内容（休憩期間に移行すべき旨、質疑応答期間に移行すべき旨等）が提案内容として決定される。【選択図】図１
2018084874.tif 000002
【特許請求の範囲】
【請求項１】
会議システムであって、
会議中における前記会議の参加者の生体情報であって前記参加者の状態を反映して変化する生体情報を取得する生体情報取得手段と、
前記参加者の生体情報に基づいて前記参加者の心理状態を判定する判定手段と、
前記参加者の心理状態に関する判定結果に基づいて会議への提案内容を決定する決定手段と、
を備えることを特徴とする会議システム。
【請求項２】
請求項１に記載の会議システムにおいて、
前記生体情報は、脈波、心電、脳波、発汗量、体温、脈拍および血圧の少なくとも１つに関する情報を有することを特徴とする会議システム。
【請求項３】
請求項１または請求項２に記載の会議システムにおいて、
前記生体情報は、前記参加者に装着されたウエアラブルデバイスによって検出されることを特徴とする会議システム。
【請求項４】
請求項１から請求項３のいずれかに記載の会議システムにおいて、
前記決定手段によって決定された前記提案内容を前記会議の発表者に通知する通知手段、
をさらに備えることを特徴とする会議システム。
【請求項５】
請求項４に記載の会議システムにおいて、
前記通知手段は、前記決定手段によって決定された前記提案内容を前記発表者以外の会議運営関係者にも通知することを特徴とする会議システム。
【請求項６】
請求項４に記載の会議システムにおいて、
前記通知手段は、前記決定手段によって決定された前記提案内容を、前記発表者と前記発表者に代わって発表を続行する代行発表者とに通知することを特徴とする会議システム。
【請求項７】
請求項４から請求項６のいずれかに記載の会議システムにおいて、
前記通知手段は、前記決定手段によって決定された前記提案内容を前記会議の参加者にも通知することを特徴とする会議システム。
【請求項８】
請求項４に記載の会議システムにおいて、
前記通知手段は、発表者向けの表示手段において前記会議の議事内容とともに前記提案内容を表示することによって、前記提案内容を通知することを特徴とする会議システム。
【請求項９】
請求項４から請求項７のいずれかに記載の会議システムにおいて、
前記通知手段は、全参加者向けの表示手段において前記会議の議事内容とともに前記提案内容を表示することによって前記提案内容を通知することを特徴とする会議システム。
【請求項１０】
請求項４から請求項９のいずれかに記載の会議システムにおいて、
前記通知手段は、前記提案内容を音声出力することによって前記提案内容を通知することを特徴とする会議システム。
【請求項１１】
請求項１から請求項１０のいずれかに記載の会議システムにおいて、
前記生体情報取得手段は、複数の参加者の生体情報を取得し、
前記判定手段は、前記複数の参加者の生体情報に基づいて前記複数の参加者の心理状態をそれぞれ判定し、
前記決定手段は、前記複数の参加者の心理状態に関する判定結果に基づいて前記会議への前記提案内容を決定することを特徴とする会議システム。
【請求項１２】
請求項１から請求項１０のいずれかに記載の会議システムにおいて、
前記生体情報取得手段は、特定の参加者の生体情報を取得し、
前記判定手段は、当該特定の参加者の生体情報に基づいて当該特定の参加者の心理状態を判定し、
前記決定手段は、前記特定の参加者の心理状態に関する判定結果に基づいて前記会議への前記提案内容を決定することを特徴とする会議システム。
【請求項１３】
請求項８または請求項９に記載の会議システムにおいて、
前記通知手段は、前記参加者の生体情報に基づいて判定された前記参加者の心理状態に関する情報をも前記表示手段に表示することを特徴とする会議システム。
【請求項１４】
請求項１３に記載の会議システムにおいて、
前記通知手段は、複数の参加者の生体情報に基づいて判定された前記複数の参加者の心理状態に関する集計結果をグラフ形式で表示することを特徴とする会議システム。
【請求項１５】
請求項１３に記載の会議システムにおいて、
前記通知手段は、複数の参加者の各存在位置と前記複数の参加者の生体情報に基づいて判定された前記複数の参加者のそれぞれの心理状態とを関連付けて示すマップ情報を表示することを特徴とする会議システム。
【請求項１６】
請求項１５に記載の会議システムにおいて、
前記通知手段は、前記会議の開催会場を複数の区分領域に区分し、前記複数の区分領域のそれぞれに属する参加者の心理状態に応じて得点を付与し、当該得点に関する集計結果を区分領域ごとに示すマップ情報を表示することを特徴とする会議システム。
【請求項１７】
請求項１６に記載の会議システムにおいて、
前記通知手段は、ネガティブな心理状態よりもポジティブな心理状態に対して比較的高い得点が付与される得点付与手法によって、前記複数の区分領域のそれぞれに属する参加者の心理状態に応じて得点を付与することを特徴とする会議システム。
【請求項１８】
請求項１１に記載の会議システムにおいて、
前記決定手段は、前記複数の参加者のうち所定程度以上の参加者が特定の心理状態を有している旨が前記複数の参加者の生体情報に基づいて判定される場合、前記特定の心理状態に対応する内容を前記提案内容として決定することを特徴とする会議システム。
【請求項１９】
請求項１２に記載の会議システムにおいて、
前記決定手段は、前記特定の参加者が特定の心理状態を有している旨が前記特定の参加者の生体情報に基づいて判定される場合、前記特定の心理状態に対応する内容を前記提案内容として決定することを特徴とする会議システム。
【請求項２０】
請求項１８または請求項１９に記載の会議システムにおいて、
前記特定の心理状態は、会議の内容に関して疑問を有している状態を含み、
前記特定の心理状態に対応する前記提案内容は、前記会議における質疑応答期間に移行すべき旨を含むことを特徴とする会議システム。
【請求項２１】
請求項１８から請求項２０のいずれかに記載の会議システムにおいて、
前記特定の心理状態は、尿意を有している状態を含み、
前記特定の心理状態に対応する前記提案内容は、休憩期間に移行すべき旨を含むことを特徴とする会議システム。
【請求項２２】
請求項１８から請求項２１のいずれかに記載の会議システムにおいて、
前記特定の心理状態は、眠気を有している状態を含み、
前記特定の心理状態に対応する前記提案内容は、リフレッシュ用飲料の提供期間に移行すべき旨を含むことを特徴とする会議システム。
【請求項２３】
請求項１８から請求項２２のいずれかに記載の会議システムにおいて、
前記特定の心理状態は、飽きを感じている状態を含み、
前記特定の心理状態に対応する前記提案内容は、前記会議の議題を次の議題に進行させるべき旨を含むことを特徴とする会議システム。
【請求項２４】
請求項１８から請求項２３のいずれかに記載の会議システムにおいて、
前記特定の心理状態は、苛立ちを感じている状態を含み、
前記特定の心理状態に対応する前記提案内容は、前記会議の発表者の話し方を修正すべき旨を含むことを特徴とする会議システム。
【請求項２５】
請求項１８から請求項２４のいずれかに記載の会議システムにおいて、
前記特定の心理状態は、前記会議における議事進行中の話題に興味を感じている状態を含み、
前記特定の心理状態に対応する前記提案内容は、前記話題に関する追加情報を各参加者に提供すべき旨を含むことを特徴とする会議システム。
【請求項２６】
請求項１８から請求項２５のいずれかに記載の会議システムにおいて、
前記特定の心理状態は、緊張状態あるいは不安状態を有している状態を含み、
前記特定の心理状態に対応する前記提案内容は、前記会議の雰囲気を和らげる話術を採用すべき旨を含むことを特徴とする会議システム。
【請求項２７】
請求項１１に記載の会議システムにおいて、
前記生体情報取得手段は、前記会議における前記複数の参加者の生体情報を取得するとともに前記会議の発表者の生体情報をも取得し、
前記判定手段は、前記発表者の生体情報に基づいて前記発表者の心理状態を判定し、
前記決定手段は、前記発表者の心理状態と複数の参加者の心理状態とに関する判定結果に基づいて前記提案内容を決定することを特徴とする会議システム。
【請求項２８】
請求項２７に記載の会議システムにおいて、
前記決定手段は、前記複数の参加者のうち所定程度以上の参加者が飽きを感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする会議システム。
【請求項２９】
請求項２７に記載の会議システムにおいて、
前記決定手段は、前記複数の参加者のうち所定程度以上の参加者が苛立ちを感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする会議システム。
【請求項３０】
請求項２７に記載の会議システムにおいて、
前記決定手段は、前記複数の参加者のうち所定程度以上の参加者が緊張あるいは不安を感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする会議システム。
【請求項３１】
請求項２７に記載の会議システムにおいて、
前記決定手段は、前記複数の参加者のうち所定程度以上の参加者が眠気を感じている旨の判定結果が得られる場合、あるいは、前記複数の参加者のうち所定程度以上の参加者が飽きを感じている旨の判定結果が得られる場合において、前記発表者が苛立ちを有している旨が判定されるときには、休憩期間に移行すべき旨を前記提案内容として決定することを特徴とする会議システム。
【請求項３２】
請求項２７に記載の会議システムにおいて、
前記決定手段は、前記発表者が尿意を有している旨が判定される場合において、前記複数の参加者のうち所定程度以上の参加者が疑問を感じている旨の判定結果が得られるとき、あるいは、前記複数の参加者のうち所定程度以上の参加者が興味を感じている旨の判定結果が得られるときには、前記発表者を新たな発表者へと交代すべき旨を前記提案内容として決定することを特徴とする会議システム。
【請求項３３】
請求項３２に記載の会議システムにおいて、
前記決定手段は、前記発表者が尿意を有している旨が判定される場合において、前記複数の参加者のうち所定程度以上の参加者が眠気を感じている旨の判定結果が得られるとき、あるいは、前記複数の参加者のうち所定程度以上の参加者が飽きを感じている旨の判定結果が得られるときには、休憩期間に移行すべき旨を前記提案内容として決定することを特徴とする会議システム。
【請求項３４】
会議管理装置であって、
会議中における前記会議の参加者の心理状態であって前記参加者の生体情報に基づいて判定された前記参加者の心理状態を取得する取得手段と、
前記参加者の心理状態に関する判定結果に基づいて会議への提案内容を決定する決定手段と、
を備えることを特徴とする会議管理装置。
【請求項３５】
コンピュータに、
ａ）会議中における前記会議の参加者の心理状態であって前記参加者の生体情報に基づいて判定された前記参加者の心理状態を取得するステップと、
ｂ）前記参加者の心理状態に関する判定結果に基づいて会議への提案内容を決定するステップと、
を実行させるためのプログラム。
【請求項３６】
請求項３５に記載のプログラムにおいて、
ｃ）前記ステップｂ）にて決定された前記提案内容を前記会議の発表者に通知するステップ、
を前記コンピュータにさらに実行させるためのプログラム。
【請求項３７】
請求項３６に記載のプログラムにおいて、
前記ステップｃ）は、
ｃ−１）発表者向けの表示手段において前記会議の議事内容とともに前記提案内容を表示することによって、前記提案内容を通知するステップ、
を有することを特徴とするプログラム。
【請求項３８】
請求項３６に記載のプログラムにおいて、
前記ステップｃ）は、
ｃ−２）全参加者向けの表示手段において前記会議の議事内容とともに前記提案内容を表示することによって前記提案内容を通知するステップ、
を有することを特徴とするプログラム。
【請求項３９】
請求項３７または請求項３８に記載のプログラムにおいて、
前記ステップｃ）において、前記参加者の生体情報に基づいて判定された前記参加者の心理状態に関する情報もが前記表示手段に表示されることを特徴とするプログラム。
【請求項４０】
請求項３５から請求項３９のいずれかに記載のプログラムにおいて、
前記ステップａ）においては、複数の参加者の生体情報に基づいてそれぞれ判定された前記複数の参加者の心理状態が取得され、
前記ステップｂ）においては、前記複数の参加者の心理状態に関する判定結果に基づいて前記会議への前記提案内容が決定されることを特徴とするプログラム。
【請求項４１】
請求項３５から請求項３９のいずれかに記載のプログラムにおいて、
前記ステップａ）においては、特定の参加者の生体情報に基づいて判定された前記特定の参加者の心理状態が取得され、
前記ステップｂ）においては、前記特定の参加者の心理状態に関する判定結果に基づいて前記会議への前記提案内容が決定されることを特徴とするプログラム。
【請求項４２】
請求項４０に記載のプログラムにおいて、
前記ステップｂ）においては、前記複数の参加者のうち所定程度以上の参加者が特定の心理状態を有している旨が前記複数の参加者の生体情報に基づいて判定される場合、前記特定の心理状態に対応する内容が前記提案内容として決定されることを特徴とするプログラム。
【請求項４３】
請求項４１に記載のプログラムにおいて、
前記ステップｂ）においては、前記特定の参加者が特定の心理状態を有している旨が前記特定の参加者の生体情報に基づいて判定される場合、前記特定の心理状態に対応する内容が前記提案内容として決定されることを特徴とするプログラム。
【請求項４４】
請求項４０に記載のプログラムにおいて、
前記ステップａ）においては、前記会議における前記複数の参加者の生体情報に基づいてそれぞれ判定された前記複数の参加者の心理状態と、前記会議の発表者の生体情報に基づいて判定された前記発表者の心理状態とが取得され、
前記ステップｂ）においては、前記ステップａ）にてそれぞれ取得された前記発表者の心理状態と前記複数の参加者の心理状態とに基づいて、前記会議への前記提案内容が決定されることを特徴とするプログラム。
【発明の詳細な説明】
【技術分野】
【０００１】
本発明は、会議システムおよびそれに関連する技術に関する。
【背景技術】
【０００２】
会議においては、プロジェクタ等を用いて資料画像等を表示しつつ当該会議を進行させることが行われる（特許文献１等参照）。会議の発表者は、様々な状況を考慮しつつ、当該会議を進行させる。
【先行技術文献】
【特許文献】
【０００３】
【特許文献１】特開２０１０−２１７５６３号公報
【発明の概要】
【発明が解決しようとする課題】
【０００４】
しかしながら、従来のシステムでは、発表者は会議の参加者（聴講者）の状態を必ずしも把握できておらず、会議の進行に各参加者の状態は反映されていない。
【０００５】
たとえば、多数の参加者が尿意を有していたとしても、会議が中断されずに継続されることも多い。そのような場合には、比較的多くの参加者がそれぞれ独自の判断で会議室から一時的に退出することもあり、退出期間における会議の内容は当該比較的多くの参加者に伝達されないなどの問題が生じることもある。
【０００６】
あるいは、多数の参加者が疑問を有していたとしても、会議が中断されずに継続されることも多い。そのような場合には、会議の最後に設けられた質問タイム（質疑応答期間）において、纏めて質疑応答が行われることが多い。その場合、多数の参加者が疑問を感じつつも会議が継続されるため、会議における伝達事項に対する当該参加者の理解が必ずしも十分でないままに会議が進行してしまう、などの問題が生じることもある。
【０００７】
そこで、この発明は、会議参加者の状態をより的確に会議の進行に反映させることが可能な技術を提供することを課題とする。
【課題を解決するための手段】
【０００８】
上記課題を解決すべく、請求項１の発明は、会議システムであって、会議中における前記会議の参加者の生体情報であって前記参加者の状態を反映して変化する生体情報を取得する生体情報取得手段と、前記参加者の生体情報に基づいて前記参加者の心理状態を判定する判定手段と、前記参加者の心理状態に関する判定結果に基づいて会議への提案内容を決定する決定手段と、を備えることを特徴とする。
【０００９】
請求項２の発明は、請求項１の発明に係る会議システムにおいて、前記生体情報は、脈波、心電、脳波、発汗量、体温、脈拍および血圧の少なくとも１つに関する情報を有することを特徴とする。
【００１０】
請求項３の発明は、請求項１または請求項２の発明に係る会議システムにおいて、前記生体情報は、前記参加者に装着されたウエアラブルデバイスによって検出されることを特徴とする。
【００１１】
請求項４の発明は、請求項１から請求項３のいずれかの発明に係る会議システムにおいて、前記決定手段によって決定された前記提案内容を前記会議の発表者に通知する通知手段、をさらに備えることを特徴とする。
【００１２】
請求項５の発明は、請求項４の発明に係る会議システムにおいて、前記通知手段は、前記決定手段によって決定された前記提案内容を前記発表者以外の会議運営関係者にも通知することを特徴とする。
【００１３】
請求項６の発明は、請求項４の発明に係る会議システムにおいて、前記通知手段は、前記決定手段によって決定された前記提案内容を、前記発表者と前記発表者に代わって発表を続行する代行発表者とに通知することを特徴とする。
【００１４】
請求項７の発明は、請求項４から請求項６のいずれかの発明に係る会議システムにおいて、前記通知手段は、前記決定手段によって決定された前記提案内容を前記会議の参加者にも通知することを特徴とする。
【００１５】
請求項８の発明は、請求項４の発明に係る会議システムにおいて、前記通知手段は、発表者向けの表示手段において前記会議の議事内容とともに前記提案内容を表示することによって、前記提案内容を通知することを特徴とする。
【００１６】
請求項９の発明は、請求項４から請求項７のいずれかの発明に係る会議システムにおいて、前記通知手段は、全参加者向けの表示手段において前記会議の議事内容とともに前記提案内容を表示することによって前記提案内容を通知することを特徴とする。
【００１７】
請求項１０の発明は、請求項４から請求項９のいずれかの発明に係る会議システムにおいて、前記通知手段は、前記提案内容を音声出力することによって前記提案内容を通知することを特徴とする。
【００１８】
請求項１１の発明は、請求項１から請求項１０のいずれかの発明に係る会議システムにおいて、前記生体情報取得手段は、複数の参加者の生体情報を取得し、前記判定手段は、前記複数の参加者の生体情報に基づいて前記複数の参加者の心理状態をそれぞれ判定し、前記決定手段は、前記複数の参加者の心理状態に関する判定結果に基づいて前記会議への前記提案内容を決定することを特徴とする。
【００１９】
請求項１２の発明は、請求項１から請求項１０のいずれかの発明に係る会議システムにおいて、前記生体情報取得手段は、特定の参加者の生体情報を取得し、前記判定手段は、当該特定の参加者の生体情報に基づいて当該特定の参加者の心理状態を判定し、前記決定手段は、前記特定の参加者の心理状態に関する判定結果に基づいて前記会議への前記提案内容を決定することを特徴とする。
【００２０】
請求項１３の発明は、請求項８または請求項９の発明に係る会議システムにおいて、前記通知手段は、前記参加者の生体情報に基づいて判定された前記参加者の心理状態に関する情報をも前記表示手段に表示することを特徴とする。
【００２１】
請求項１４の発明は、請求項１３の発明に係る会議システムにおいて、前記通知手段は、複数の参加者の生体情報に基づいて判定された前記複数の参加者の心理状態に関する集計結果をグラフ形式で表示することを特徴とする。
【００２２】
請求項１５の発明は、請求項１３の発明に係る会議システムにおいて、前記通知手段は、複数の参加者の各存在位置と前記複数の参加者の生体情報に基づいて判定された前記複数の参加者のそれぞれの心理状態とを関連付けて示すマップ情報を表示することを特徴とする。
【００２３】
請求項１６の発明は、請求項１５の発明に係る会議システムにおいて、前記通知手段は、前記会議の開催会場を複数の区分領域に区分し、前記複数の区分領域のそれぞれに属する参加者の心理状態に応じて得点を付与し、当該得点に関する集計結果を区分領域ごとに示すマップ情報を表示することを特徴とする。
【００２４】
請求項１７の発明は、請求項１６の発明に係る会議システムにおいて、前記通知手段は、ネガティブな心理状態よりもポジティブな心理状態に対して比較的高い得点が付与される得点付与手法によって、前記複数の区分領域のそれぞれに属する参加者の心理状態に応じて得点を付与することを特徴とする。
【００２５】
請求項１８の発明は、請求項１１の発明に係る会議システムにおいて、前記決定手段は、前記複数の参加者のうち所定程度以上の参加者が特定の心理状態を有している旨が前記複数の参加者の生体情報に基づいて判定される場合、前記特定の心理状態に対応する内容を前記提案内容として決定することを特徴とする。
【００２６】
請求項１９の発明は、請求項１２の発明に係る会議システムにおいて、前記決定手段は、前記特定の参加者が特定の心理状態を有している旨が前記特定の参加者の生体情報に基づいて判定される場合、前記特定の心理状態に対応する内容を前記提案内容として決定することを特徴とする。
【００２７】
請求項２０の発明は、請求項１８または請求項１９の発明に係る会議システムにおいて、前記特定の心理状態は、会議の内容に関して疑問を有している状態を含み、前記特定の心理状態に対応する前記提案内容は、前記会議における質疑応答期間に移行すべき旨を含むことを特徴とする。
【００２８】
請求項２１の発明は、請求項１８から請求項２０のいずれかの発明に係る会議システムにおいて、前記特定の心理状態は、尿意を有している状態を含み、前記特定の心理状態に対応する前記提案内容は、休憩期間に移行すべき旨を含むことを特徴とする。
【００２９】
請求項２２の発明は、請求項１８から請求項２１のいずれかの発明に係る会議システムにおいて、前記特定の心理状態は、眠気を有している状態を含み、前記特定の心理状態に対応する前記提案内容は、リフレッシュ用飲料の提供期間に移行すべき旨を含むことを特徴とする。
【００３０】
請求項２３の発明は、請求項１８から請求項２２のいずれかの発明に係る会議システムにおいて、前記特定の心理状態は、飽きを感じている状態を含み、前記特定の心理状態に対応する前記提案内容は、前記会議の議題を次の議題に進行させるべき旨を含むことを特徴とする。
【００３１】
請求項２４の発明は、請求項１８から請求項２３のいずれかの発明に係る会議システムにおいて、前記特定の心理状態は、苛立ちを感じている状態を含み、前記特定の心理状態に対応する前記提案内容は、前記会議の発表者の話し方を修正すべき旨を含むことを特徴とする。
【００３２】
請求項２５の発明は、請求項１８から請求項２４のいずれかの発明に係る会議システムにおいて、前記特定の心理状態は、前記会議における議事進行中の話題に興味を感じている状態を含み、前記特定の心理状態に対応する前記提案内容は、前記話題に関する追加情報を各参加者に提供すべき旨を含むことを特徴とする。
【００３３】
請求項２６の発明は、請求項１８から請求項２５のいずれかの発明に係る会議システムにおいて、前記特定の心理状態は、緊張状態あるいは不安状態を有している状態を含み、前記特定の心理状態に対応する前記提案内容は、前記会議の雰囲気を和らげる話術を採用すべき旨を含むことを特徴とする。
【００３４】
請求項２７の発明は、請求項１１の発明に係る会議システムにおいて、前記生体情報取得手段は、前記会議における前記複数の参加者の生体情報を取得するとともに前記会議の発表者の生体情報をも取得し、前記判定手段は、前記発表者の生体情報に基づいて前記発表者の心理状態を判定し、前記決定手段は、前記発表者の心理状態と複数の参加者の心理状態とに関する判定結果に基づいて前記提案内容を決定することを特徴とする。
【００３５】
請求項２８の発明は、請求項２７の発明に係る会議システムにおいて、前記決定手段は、前記複数の参加者のうち所定程度以上の参加者が飽きを感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする。
【００３６】
請求項２９の発明は、請求項２７の発明に係る会議システムにおいて、前記決定手段は、前記複数の参加者のうち所定程度以上の参加者が苛立ちを感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする。
【００３７】
請求項３０の発明は、請求項２７の発明に係る会議システムにおいて、前記決定手段は、前記複数の参加者のうち所定程度以上の参加者が緊張あるいは不安を感じている旨の判定結果が前記複数の参加者の生体情報に基づいて得られる場合であっても、前記発表者が緊張状態あるいは不安状態を有している旨が判定されるときには、前記複数の参加者の心理状態に関する前記判定結果を保留し、少なくとも前記発表者には前記判定結果を通知しないことを特徴とする。
【００３８】
請求項３１の発明は、請求項２７の発明に係る会議システムにおいて、前記決定手段は、前記複数の参加者のうち所定程度以上の参加者が眠気を感じている旨の判定結果が得られる場合、あるいは、前記複数の参加者のうち所定程度以上の参加者が飽きを感じている旨の判定結果が得られる場合において、前記発表者が苛立ちを有している旨が判定されるときには、休憩期間に移行すべき旨を前記提案内容として決定することを特徴とする。
【００３９】
請求項３２の発明は、請求項２７の発明に係る会議システムにおいて、前記決定手段は、前記発表者が尿意を有している旨が判定される場合において、前記複数の参加者のうち所定程度以上の参加者が疑問を感じている旨の判定結果が得られるとき、あるいは、前記複数の参加者のうち所定程度以上の参加者が興味を感じている旨の判定結果が得られるときには、前記発表者を新たな発表者へと交代すべき旨を前記提案内容として決定することを特徴とする。
【００４０】
請求項３３の発明は、請求項３２の発明に係る会議システムにおいて、前記決定手段は、前記発表者が尿意を有している旨が判定される場合において、前記複数の参加者のうち所定程度以上の参加者が眠気を感じている旨の判定結果が得られるとき、あるいは、前記複数の参加者のうち所定程度以上の参加者が飽きを感じている旨の判定結果が得られるときには、休憩期間に移行すべき旨を前記提案内容として決定することを特徴とする。
【００４１】
請求項３４の発明は、会議管理装置であって、会議中における前記会議の参加者の心理状態であって前記参加者の生体情報に基づいて判定された前記参加者の心理状態を取得する取得手段と、前記参加者の心理状態に関する判定結果に基づいて会議への提案内容を決定する決定手段と、を備えることを特徴とする。
【００４２】
請求項３５の発明は、コンピュータに、ａ）会議中における前記会議の参加者の心理状態であって前記参加者の生体情報に基づいて判定された前記参加者の心理状態を取得するステップと、ｂ）前記参加者の心理状態に関する判定結果に基づいて会議への提案内容を決定するステップと、を実行させるためのプログラムであることを特徴とする。
【００４３】
請求項３６の発明は、請求項３５の発明に係るプログラムにおいて、ｃ）前記ステップｂ）にて決定された前記提案内容を前記会議の発表者に通知するステップ、を前記コンピュータにさらに実行させるためのプログラム。
【００４４】
請求項３７の発明は、請求項３６の発明に係るプログラムにおいて、前記ステップｃ）は、ｃ−１）発表者向けの表示手段において前記会議の議事内容とともに前記提案内容を表示することによって、前記提案内容を通知するステップ、を有することを特徴とする。
【００４５】
請求項３８の発明は、請求項３６または請求項３７の発明に係るプログラムにおいて、前記ステップｃ−１）は、ｃ−２）全参加者向けの表示手段において前記会議の議事内容とともに前記提案内容を表示することによって前記提案内容を通知するステップ、を有することを特徴とする。
【００４６】
請求項３９の発明は、請求項３７または請求項３８の発明に係るプログラムにおいて、前記ステップｃ）において、前記参加者の生体情報に基づいて判定された前記参加者の心理状態に関する情報もが前記表示手段に表示されることを特徴とする。
【００４７】
請求項４０の発明は、請求項３５から請求項３９のいずれかの発明に係るプログラムにおいて、前記ステップａ）においては、複数の参加者の生体情報に基づいてそれぞれ判定された前記複数の参加者の心理状態が取得され、前記ステップｂ）においては、前記複数の参加者の心理状態に関する判定結果に基づいて前記会議への前記提案内容が決定されることを特徴とする。
【００４８】
請求項４１の発明は、請求項３５から請求項３９のいずれかの発明に係るプログラムにおいて、前記ステップａ）においては、特定の参加者の生体情報に基づいて判定された前記特定の参加者の心理状態が取得され、前記ステップｂ）においては、前記特定の参加者の心理状態に関する判定結果に基づいて前記会議への前記提案内容が決定されることを特徴とする。
【００４９】
請求項４２の発明は、請求項４０の発明に係るプログラムにおいて、前記ステップｂ）においては、前記複数の参加者のうち所定程度以上の参加者が特定の心理状態を有している旨が前記複数の参加者の生体情報に基づいて判定される場合、前記特定の心理状態に対応する内容が前記提案内容として決定されることを特徴とする。
【００５０】
請求項４３の発明は、請求項４１の発明に係るプログラムにおいて、前記ステップｂ）においては、前記特定の参加者が特定の心理状態を有している旨が前記特定の参加者の生体情報に基づいて判定される場合、前記特定の心理状態に対応する内容が前記提案内容として決定されることを特徴とする。
【００５１】
請求項４４の発明は、請求項４０の発明に係るプログラムにおいて、前記ステップａ）においては、前記会議における前記複数の参加者の生体情報に基づいてそれぞれ判定された前記複数の参加者の心理状態と、前記会議の発表者の生体情報に基づいて判定された前記発表者の心理状態とが取得され、前記ステップｂ）においては、前記ステップａ）にてそれぞれ取得された前記発表者の心理状態と前記複数の参加者の心理状態とに基づいて、前記会議への前記提案内容が決定されることを特徴とする。
である。
【発明の効果】
【００５２】
請求項１から請求項４４に記載の発明によれば、会議参加者の状態をより的確に会議の進行に反映させることが可能である。
【図面の簡単な説明】
【００５３】
【図１】第１実施形態に係る会議システムの概要を示す図である。
【図２】会議管理装置の概略構成を示す機能ブロック図である。
【図３】ウエアラブル端末の概略構成を示す機能ブロック図である。
【図４】会議管理装置の動作を示すフローチャートである。
【図５】会議管理装置における登録動作を示すフローチャートである。
【図６】会議管理装置における生体情報収集動作を示すフローチャートである。
【図７】会議管理装置における心理状態判定動作を示すフローチャートである。
【図８】会議管理装置における画像作成動作を示すフローチャートである。
【図９】会議管理装置における出力動作を示すフローチャートである。
【図１０】会議管理装置における終了動作を示すフローチャートである。
【図１１】聴講者の心理状態と会議へのアドバイス（提案内容）との関係を示す図である。
【図１２】発表用の資料（スライド画像）を示す図である。
【図１３】会議へのアドバイス（提案内容）等が発表用資料の余白部分に表示されている様子を示す図である。
【図１４】図１３の一部（会議へのアドバイス等を示す画像部分）を拡大して示す図であり、棒グラフ形式で心理状態の集計結果を示す図である。
【図１５】会議へのアドバイスの他の表示例を示す図である。
【図１６】円グラフ形式で心理状態の集計結果を示す図である。
【図１７】特定聴講者対象モード且つグラフモードにおける表示例を示す図である。
【図１８】全聴講者対象モード且つマップモードにおける表示例を示す図である。
【図１９】全聴講者対象モード且つマップモードにおける別の表示例を示す図である。
【図２０】心理状態ごとに付与される得点の一欄を示す図である。
【図２１】第２実施形態において決定される提案内容を示す図である。
【発明を実施するための形態】
【００５４】
以下、本発明の実施形態を図面に基づいて説明する。
【００５５】
＜１．第１実施形態＞
＜１−１．システム構成＞
図１は、第１実施形態に係る会議システム１の概要を示すシステム構成図である。この会議システム１は、電子会議システムあるいはプレゼンテーションシステムとも称される。当該システム１は、会議管理装置（サーバコンピュータないし単にサーバとも称する）１０と表示装置（ここではプロジェクタ）３０と複数の生体情報検出装置５０とを備えている。
【００５６】
本システム１における各要素１０，３０，５０は、それぞれ、ネットワーク１０８を介して互いに通信可能に接続される。ネットワーク１０８は、ＬＡＮ（Local Area Network）などによって構成される。また、ネットワーク１０８に対する接続態様は、有線接続であってもよく、或いは無線接続であってもよい。
【００５７】
また、会議管理装置１０とウエアラブル端末５０とは、各種の無線通信技術を用いて互いに無線接続される。たとえば、会議管理装置１０とウエアラブル端末５０との間の通信には、無線ＬＡＮ（IEEE 802.11等）による通信、および近距離無線通信が利用される。近距離無線通信としては、ＢＬＥ（Bluetooth（登録商標） Low Energy）および／または近接場型無線通信（ＮＦＣ：Near field radio communication）等が用いられ得る。
【００５８】
会議管理装置１０は、プレゼンテーション用の資料データＤ１（図１２参照）を管理する。会議管理装置１０は、当該資料データＤ１を保存するとともに、当該資料データＤ１に関する各ページ画像（スライド画像）等の表示画像を表示装置３０を用いて表示する。
【００５９】
表示装置３０は、資料データ（発表資料データ）Ｄ１を表示する装置である。表示装置３０としては、例えば、プロジェクタ装置などが用いられる。表示装置３０は、会議管理装置１０の映像信号出力部（詳細には外部出力端子）に接続されている。会議管理装置１０が資料データＤ１等に関する画像を会議管理装置１０の映像信号出力部から出力すると、当該画像は、表示装置３０の映像信号入力部に入力される。そして、当該表示装置３０によって、当該画像（資料データＤ１に関するページ画像等）が表示される。このような動作が繰り返されることによって、資料データＤ１に含まれる複数のページが会議管理装置１０および表示装置３０によって順次表示される。
【００６０】
プレゼンテーションの聴講者（特に、プレゼンテーション会場（会議会場）内に存在する複数の聴講者Ｕｉ（Ｕ１，Ｕ２，...））は、表示装置３０による表示画像（詳細にはプロジェクタによってスクリーンに投影された画像）によって、資料データＤ１を視認することができる。なお、各聴講者Ｕｉは、会議の発表者による発表（プレゼンテーション）を聴講する人物であり、会議の参加者とも称される。また、各参加者（聴講者）Ｕｉは、会議の発表者とは別の人物である。
【００６１】
また、表示装置３０は、会議管理装置１０を介した発表者Ｐ１の指示入力に応答して、資料データＤ１に含まれる複数のページを順次に表示する。この表示装置３０における表示動作は、会議管理装置１０の管理下において実行される。
【００６２】
＜１−２．ウエアラブル端末５０の構成＞
次に、ウエアラブル端末（ウエアラブルデバイスとも称する）５０の構成について説明する。この実施形態においては、ウエアラブル端末５０が複数のユーザ（具体的には、会議における複数の参加者（聴講者））によって装着された状態で、会議が進行する。
【００６３】
ウエアラブル端末５０は、会議管理装置１０との連携動作を行うことが可能な装置である。具体的には、ウエアラブル端末５０は、会議管理装置１０との間での無線通信（近距離無線通信およびネットワーク通信）が可能な情報入出力端末装置（情報端末）である。ウエアラブル端末５０は、ウエアラブル端末５０にて検出された生体情報（次述）を、たとえば無線通信（ネットワーク通信等）を介して会議管理装置１０に随時送信する。
【００６４】
ウエアラブル端末５０は、ユーザの生体情報（より詳細には、当該ユーザの状態（心理状態等）を反映して（経時的に）変化する生体情報（謂わば、動的な生体情報））を検出（測定）する生体情報検出装置である。ウエアラブル端末５０は、各種の情報（血圧、脈波、心電、脳波、発汗量、体温、および／または脈拍等）を当該ユーザの生体情報として検出（測定）する。なお、ウエアラブル端末５０は、ユーザの生体情報を用いてユーザの心理状態を検出するユーザ状態検出装置などとも称される。
【００６５】
なお、ここでは、ウエアラブル端末５０として、リストバンドタイプ（手首装着型）のデバイス（装置）を例示する。ただし、これに限定されず、様々なタイプの装置がウエアラブル端末５０（生体情報取得装置）として利用され得る。
【００６６】
図３は、ウエアラブル端末５０の概略構成を示す機能ブロック図である。
【００６７】
ウエアラブル端末５０は、図３の機能ブロック図に示すように、通信部５４、格納部５５、生体情報検出部５７、バッテリ５８およびコントローラ５９等を備えており、これらの各部を複合的に動作させることによって、各種の機能を実現する。
【００６８】
通信部５４は、各種の無線通信を行うことが可能である。具体的には、通信部５４は、無線ＬＡＮ（IEEE 802.11等）による無線通信を行う無線ＬＡＮ通信部と、Bluetooth ＬＥ等による無線通信（近距離無線通信）を行う近距離無線通信部とを備える。
【００６９】
格納部５５は、不揮発性の半導体メモリ等の記憶装置で構成される。
【００７０】
生体情報検出部５７は、血圧等の生体情報を検出するための各種センサを備えて構成される。
【００７１】
バッテリ５８は、二次電池（充電池）であり、ウエアラブル端末５０に対して電力を供給する。
【００７２】
操作部５６は、ウエアラブル端末５０に対する操作入力を受け付ける操作入力部５６ａと、各種情報の表示出力を行う表示部５６ｂとを備えている。このウエアラブル端末５０においては、液晶表示パネルに各種センサ等が埋め込まれて構成されたタッチパネルが設けられている。このタッチパネルは、操作入力部５６ａの一部としても機能するとともに、表示部５６ｂの一部としても機能する。
【００７３】
図３のコントローラ５９は、ウエアラブル端末５０に内蔵され、ウエアラブル端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（プログラム）を実行することによって、各種の処理部を実現する。なお、当該プログラム（詳細にはプログラムモジュール群）は、ＵＳＢメモリなどの可搬性の記録媒体に記録され、当該記録媒体から読み出されてウエアラブル端末５０にインストールされるようにしてもよい。あるいは、当該プログラムは、ネットワーク等を経由してダウンロードされてウエアラブル端末５０にインストールされるようにしてもよい。
【００７４】
ウエアラブル端末５０には、会議管理装置１０等との連携を図るためのプログラム（連携用プログラム）等がインストールされている。当該連携用プログラムは、各種の処理（ユーザの生体情報を検出する処理、および当該生体情報を会議管理装置１０に送信する処理等）を実現するアプリケーションソフトウエアプログラム（単に、アプリケーションとも称する）である。
【００７５】
具体的には、コントローラ５９は、連携用プログラム等の実行により、通信制御部６１と入力制御部６２と表示制御部６３と検出制御部６５と動作実行部６６とを含む各種の処理部を実現する。
【００７６】
通信制御部６１は、通信部５４等と協働して、会議管理装置１０等との通信動作を制御する処理部である。
【００７７】
入力制御部６２は、操作入力部５６ａ（タッチパネル等）に対する操作入力動作を制御する制御部である。
【００７８】
表示制御部６３は、表示部５６ｂ（タッチパネル等）における表示動作を制御する処理部である。
【００７９】
検出制御部６５は、生体情報検出部５７と協働してユーザの生体情報を検出（測定）する処理部である。
【００８０】
動作実行部６６は、会議管理装置１０との各種連携動作を総括的に実行する処理部である。
【００８１】
＜１−３．会議管理装置１０の構成＞
会議管理装置１０は、会議に対するアドバイス（提案内容）を決定する処理等を行う装置である。
【００８２】
図２は、会議管理装置１０の概略構成を示す機能ブロック図である。会議管理装置１０は、いわゆるパーソナルコンピュータ等によって構成される。
【００８３】
会議管理装置１０は、図２の機能ブロック図に示すように、通信部１４、格納部１５、操作部１６およびコントローラ１９等を備えており、これらの各部を複合的に動作させることによって、各種の機能を実現する。
【００８４】
通信部１４は、各種の通信を行うことが可能である。
【００８５】
格納部１５は、ＨＤＤおよび不揮発性の半導体メモリ等の記憶装置で構成される。格納部１５は、ウエアラブル端末５０で検出され且つウエアラブル端末５０から送信されてきた生体情報（各ユーザに関する生体情報）を格納する。また、格納部１５には、本システム１のユーザ（会議の参加者等）の情報（ユーザ情報）等も記憶される。
【００８６】
操作部１６は、会議管理装置１０に対する操作入力を受け付ける操作入力部１６ａと、各種情報の表示出力を行う表示部１６ｂとを備えている。
【００８７】
図２のコントローラ１９は、会議管理装置１０に内蔵され、会議管理装置１０を統括的に制御する制御装置である。コントローラ１９は、ＣＰＵおよび各種の半導体メモリ（ＲＡＭおよびＲＯＭ）等を備える。コントローラ１９は、ＣＰＵにおいて、記憶部（半導体メモリ等）内に格納されている所定のソフトウエアプログラム（プログラム）を実行することによって、各種の処理部を実現する。なお、当該プログラム（詳細にはプログラムモジュール群）は、ＤＶＤ−ＲＯＭあるいはＵＳＢメモリなどの可搬性の記録媒体に記録され、当該記録媒体から読み出されて会議管理装置１０にインストールされるようにしてもよい。あるいは、当該プログラムは、ネットワーク等を経由してダウンロードされて会議管理装置１０にインストールされるようにしてもよい。
【００８８】
会議管理装置１０には、会議の進行を補助する処理等を実行するプログラム（会議進行補助プログラム）がインストールされている。当該会議進行補助プログラムは、各ユーザ（会議の聴講者等）の生体情報を解析して各ユーザの心理状態を判定する処理、および各ユーザの心理状態に関する判定結果に基づいて会議への提案内容（アドバイス）を決定する処理等を実現するアプリケーションソフトウエアプログラム（単に、アプリケーションとも称する）である。
【００８９】
具体的には、コントローラ５９は、会議進行補助プログラム等の実行により、通信制御部２１と入力制御部２２と表示制御部２３と音声入出力制御部２４と生体情報取得部２５と判定部２６と決定部２７と通知部２８とを含む各種の処理部を実現する。
【００９０】
通信制御部２１は、通信部１４等と協働して、ウエアラブル端末５０等との通信動作を制御する処理部である。
【００９１】
入力制御部２２は、操作入力部１６ａ（キーボード、マウス、タッチパネル等）に対する操作入力動作を制御する制御部である。
【００９２】
表示制御部２３は、表示部１６ｂ（タッチパネル等）における表示動作を制御する処理部である。また、表示制御部２３は、表示装置３０における表示動作をも制御する。
【００９３】
音声入出力制御部２４は、音声入力部（会議管理装置１０に接続された外部マイク（不図示）等を含む）による音声入力処理を制御する。また、音声入出力制御部２４は、音声出力部（会議管理装置１０に接続された外部スピーカ（不図示）等を含む）による音声出力処理をも制御する。
【００９４】
生体情報取得部２５は、会議における各参加者（聴講者）等の生体情報を取得する処理部である。生体情報取得部２５によって取得された生体情報は、格納部１５内に格納される。
【００９５】
判定部２６は、生体情報取得部２５によって取得された生体情報を解析し、その解析結果に基づいて、各参加者等の心理状態を判定する処理部である。
【００９６】
決定部２７は、各参加者等の心理状態に関する判定結果に基づいて、会議への提案内容（アドバイス）を決定する処理部である。
【００９７】
通知部２８は、決定部２７によって決定された提案内容の通知動作を制御する処理部である。通知部２８は、表示制御部２３および音声入出力制御部２４等と協働して、当該通知動作を制御する。
【００９８】
＜１−４．動作概要＞
＜概略＞
この会議システム１においては、会議における複数の参加者（聴講者）の生体情報に基づいて当該複数の参加者の心理状態がそれぞれ判定される。そして、複数の参加者の心理状態に関する判定結果に基づいて会議への提案内容（アドバイス）が決定される。
【００９９】
たとえば、一定割合以上（一定数）の参加者が「尿意」を有している旨が判定される場合には、会議における「休憩期間（より詳細には、トイレ休憩期間）」に移行すべき旨が会議への提案内容として決定される。
【０１００】
また、一定割合以上（一定数）の参加者が会議の内容に関して「疑問」を有している旨が判定される場合には、会議における「質疑応答期間」（質問タイム）に移行すべき旨が会議への提案内容として決定される。
【０１０１】
そして、当該提案内容が通知対象者に自動的に通知される。
【０１０２】
図１３および図１４は、このような提案内容の表示例を示す図である。図１３は、会議中にプロジェクタ装置（表示装置）３０を用いて表示されるプレゼンテーション画面を示す図である。図１３においては、プレゼンテーション画面内の右下余白部分において当該提案内容等を示す部分が示されている。図１４は、当該提案内容等を示す部分の拡大図である。図１４に示されるように、当該部分においては、複数の参加者の心理状態に関する集計結果がグラフ形式で示されている。具体的には、会議に関する「疑問」を有している人数が「２２名」であり、一定数（たとえば、８名）（あるいは、一定割合（たとえば３０％））を超えていることなどが、当該集計結果として示されている。そして、このような集計結果とともに、提案内容（「質問タイムを提案します」の文言）が当該部分に表示されている。
【０１０３】
会議の発表者は、会議管理装置１０による当該提案内容を知得することによって、複数の参加者（聴講者）の状況を適切に考慮して、会議をより効率的に進行させることが可能である。
【０１０４】
＜心理状態の集計結果と会議への提案内容とに関する表示モード＞
図１３および図１４は、「グラフモード」（心理状態の集計結果をグラフ形式で表示するモード）による表示例を示す図である。この会議システム１は、「グラフモード」のみならず、「マップモード」（心理状態の集計結果をマップ形式で表示するモード）をも有している。会議システム１においては、心理状態の集計結果に関する表示モードとして、「グラフモード」と「マップモード」とが選択的に利用され得る。また、各モードにおいては、心理状態の集計結果に加えて、提案内容（たとえば、「質問タイムを提案します」の文言）もが表示される。なお、図１４において、２４名の参加者の各心理状態の合計値が２４を超えていることから判るように、１人の参加者が或る時点において２以上の心理状態を同時に有する旨が判定されてもよい。ただし、これに限定されず、１人の参加者は単一の心理状態（代表的な心理状態）のみを有する旨が判定されるようにしてもよい。
【０１０５】
図１８は、「マップモード」による表示例を示す図である。図１８においては、複数（ここでは２４名）の参加者の存在位置（座席位置）と各参加者の心理状態とを関連付けて示すマップ情報が表示されている。なお、図１８では、各参加者について、その最も代表的な単一の心理状態が表示されている。
【０１０６】
発表者は、当該マップモードによる表示画面を視認することによって、各参加者の心理状態を把握することが可能である。たとえば、発表者は、「疑問」を感じている人を図１８のマップ（詳細には、「疑問」を感じている人の座席位置等）に基づいて特定することが可能である。したがって、発表者は、提案内容を参考にして「質問タイム」に移行した後に、「疑問」を感じている人を指名して質問内容を聞き出すことなども可能であり、「疑問」を感じている人からの質問を引き出し易くなる。
【０１０７】
また、発表者は、「興味」を感じている人物を図１８のマップ（詳細には、「興味」を感じている人の座席位置等）に基づいて特定することが可能である。会議の話題に「興味」を持っている人物を特定することによれば、会議終了後等において当該人物と商談を円滑に進めること等が可能である。
【０１０８】
＜心理状態の集計対象に関するモード（集計対象モード）＞
また、会議システム１は、全ての参加者を心理状態の集計対象とする「全参加者対象モード」と特定の参加者を心理状態の集計対象とする「特定参加者対象モード」とを有している。会議システム１においては、心理状態の集計対象に関するモードとして、「全参加者対象モード」と「特定参加者対象モード」とが選択的に利用され得る。
【０１０９】
上述の図１３、図１４および図１８は、「全参加者対象モード」における表示例を示している。
【０１１０】
一方、図１７は、「特定参加者対象モード」による表示例を示している。図１７においては、特定の人物（たとえば、社内会議において会議の内容に関する決裁権限等を有しているキーパーソン（社長、部長等））を対象にその心理状態が集計（取得）されている。「特定参加者対象モード」においては、当該特定の人物（特定の参加者）の心理状態に関する判定結果に基づいて会議への提案内容（アドバイス）が決定される。なお、当該特定の人物は、複数の参加者のうちのいずれかの人物であり、会議の発表者とは別の人物である。また、「特定参加者対象モード」における「特定の人物」（たとえばユーザＵ３）は、会議の開始前において、発表者あるいは会議運営関係者等によって予め設定されればよい。
【０１１１】
図１７においては、７つの心理状態（「疑問」、「尿意」、「眠気」、「飽き」、「苛立ち」、「興味」、「緊張」）の合致レベルが示されている。具体的には、「疑問」、「尿意」、「眠気」、「飽き」、「苛立ち」、「興味」、「緊張」の各心理状態に対する合致レベルは、それぞれ、「９０」、「１５」、「３」、「１５」、「２２」、「２８」、「３」であることがグラフ化されて示されている。「疑問」に対する合致レベルが最も高く且つ所定の基準値（たとえば６０）を超えており、当該特定の人物（たとえばユーザＵ３）の心理状態は「疑問を感じている状態」である旨が判定される。そして、特定の人物（特定の参加者）が会議の内容に関して「疑問」を有している旨が判定される場合には、会議における「質疑応答期間」（質問タイム）に移行すべき旨が会議への提案内容として決定される。このように、発表者は、特定の人物の心理状態を特に重視して会議を進行することができる。
【０１１２】
＜提案内容の通知先に関するモード（通知先モード）＞
また、会議管理装置１０は、提案内容の通知先に関する２つの通知モードを有している。具体的には、提案内容を会議の発表者（および会議運営者等）に通知する「プライベート通知モード」と、提案内容を会議の発表者（および会議運営者等）のみならず会議の参加者にも通知する「パブリック通知モード」とが設けられている。会議管理装置１０の通知部２８は、会議の発表者等によって選択された通知モード（プライベート通知モードおよびパブリック通知モード）に応じて、通知先を変更する。
【０１１３】
たとえば、「プライベート通知モード」においては、通知部２８は、表示制御部２３と協働して、発表者用の端末としても利用される会議管理装置１０の表示部１６ｂに会議への提案内容（アドバイス）等（図１３および図１４等）を表示させる。これによって、当該提案内容が発表者に通知される。表示装置３０（プロジェクタ装置）においては、発表用の資料（図１２参照）のみが表示され、会議への提案内容および心理状態の集計結果は表示されない。そのため、会議の発表者は、会議進行の決定のための情報を参加者に公開することなく、会議の進め方を決定することが可能である。なお、これに限定されず、通知部２８は、音声入出力制御部２４と協働して、会議管理装置１０に接続されたイヤホン（発表者用イヤホンおよび関係者用イヤホン）を利用して、会議への提案内容（アドバイス）を音声出力させる。
【０１１４】
なお、プライベート通知モードにおいて、会議への提案内容等は、発表者以外の会議運営関係者にも通知され得る。その場合には、通知先人物（会議運営関係者）によって利用される端末（コンピュータ等）の表示部にて提案内容等が表示されればよい。また、通知先人物によって利用されるイヤホン等にて提案内容等が音声出力されてもよい。
【０１１５】
また、パブリック通知モードにおいては、通知部２８は、表示制御部２３と協働して、会議への提案内容（アドバイス）等を表示装置３０（プロジェクタ装置）に表示させる。これによって、当該提案内容等が会議の発表者（および会議運営管理者）のみならず全ての参加者（聴講者）に通知される。そのため、会議の発表者は、会議進行の決定のための情報（根拠要素等）を参加者に公開し、参加者と情報を共有しつつ会議を進めることが可能である。なお、表示出力による通知に限定されず、音声出力による通知が行われるようにしてもよい。たとえば、通知部２８は、音声入出力制御部２４と協働して、会議管理装置１０に接続された外部スピーカ（特に会議会場に設置された外部スピーカ）を利用して、会議への提案内容（アドバイス）を音声出力させてもよい。より詳細には、場内アナウンス用スピーカ等によって、当該アドバイスが場内アナウンスされてもよい。
【０１１６】
なお、これらの各種モードに関する設定処理は、会議開始前のユーザ操作等に応じて予め行われているものとする。また、これら３種類のモード（詳細には、心理状態の集計対象に関するモード、会議への提案内容等に関する２つの表示モード、および提案内容の通知先に関する２つのモード）は、互いに組み合わせて利用され得る。
【０１１７】
＜１−５．動作詳細＞
次に、図４〜図１０等を参照しながら、会議システム１の動作について詳細に説明する。図４〜図１０は、会議管理装置１０の動作を示すフローチャートである。図４は、会議管理装置１０の動作を大まかに示すフローチャートであり、図５〜図１０は、図４内のステップＳ２０，Ｓ３０，Ｓ４０，Ｓ６０，Ｓ７０，Ｓ８０の各動作をそれぞれ詳細に示すフローチャートである。
【０１１８】
図４に示すように、初期化処理（Ｓ１０）が実行された後、ステップＳ２０，Ｓ３０，Ｓ４０，Ｓ５０，Ｓ６０，Ｓ７０，Ｓ８０の処理が繰り返し実行される。以下では、各ステップの処理について順に説明する。
【０１１９】
＜１−５−１．初期化処理：ステップＳ１０＞
まず、ステップＳ１０（図４参照）において、初期化処理が実行される。具体的には、状態を示すフラグ情報であるステータスフラグ（FG_STATUS）が初期化（ゼロに設定）される。ステータスフラグ（FG_STATUS）に関して、値「０」は「要登録状態」（登録を行うべき状態）（換言すれば、「登録未完了状態」）を意味し、値「１」は「要収集状態」（生体情報の収集を行うべき状態）を意味し、値「２」は「要判定状態」（生体情報に基づき心理状態の判定を行うべき状態）を意味する。また、ステップＳ１０においては、ユーザ登録数（ここでは参加者登録数）も初期化（ゼロに設定）されるとともに、会議中フラグ（FG_MEETING）も初期化（ゼロ（オフ）に設定）される。
【０１２０】
＜１−５−２．登録処理：ステップＳ２０＞
次のステップＳ２０（図４および図５参照）では、生体情報検出装置の登録処理が実行される。
【０１２１】
ステップＳ２１（図５参照）では、会議開始前であるか否かが判定される。会議中フラグ（FG_MEETING）がゼロ（オフ）である場合には、会議開始前であると判定され、ステップＳ２２に進む。それ以外の場合には、ステップＳ２０の処理を一旦終了する。
【０１２２】
また、ステップＳ２２では、ステータスフラグ（FG_STATUS）が「０」（「要登録状態」を意味する値）であるか否かが判定される。ステータスフラグ（FG_STATUS）が「０」である場合には、ステップＳ２３に進む。それ以外の場合には、ステップＳ２０の処理を一旦終了する。
【０１２３】
ステップＳ２３，Ｓ２４では、会議運営者等によって予め準備されていた複数のウエアラブル端末５０のうち、会議参加者（聴講者）によって新たに装着されたウエアラブル端末５０に関する登録処理が実行される。
【０１２４】
具体的には、ステップＳ２３において、複数のウエアラブル端末５０のうち、会議参加者によって新たに装着されたウエアラブル端末５０は、ユーザによって自装置５０が新たに装着された旨の通知（新規装着通知）を会議管理装置１０に送信する。
【０１２５】
会議管理装置１０は、新規装着通知を受信すると、新規装着通知の送信元の装置を、有効化された装置（有効装置）として登録する（ステップＳ２４）。また、必要に応じて、装着者のユーザ情報（氏名および所属等）が当該ウエアラブル端末５０に関連付けて登録される。なお、当該登録処理は、ウエアラブル端末５０のユーザインターフェイスを用いて行われればよい。ただし、これに限定されず、当該登録処理は、会議管理装置１０等のユーザインターフェイスを用いて行われてもよい。
【０１２６】
より詳細には、たとえば、会議の各参加者が会議の受付を訪れた際に、会議の受付案内者が各参加者に対して各ウエアラブル端末５０（電源オン状態）を手渡す。各参加者は、受付案内者からの装着依頼に基づき、ウエアラブル端末５０を自らの腕に装着する。ウエアラブル端末５０は、人体に装着されたことを検出すると、上述のように新規装着通知を会議管理装置１０に送信する。なお、各参加者のユーザ情報（氏名および所属等）の登録が行われる場合には、新規装着通知に加えて各参加者の情報もがウエアラブル端末５０から会議管理装置１０に送信される。そして、会議管理装置１０は、新規装着通知等に基づいて登録処理を実行する。
【０１２７】
その後、全ての参加者に対応する全てのウエアラブル端末５０の登録処理が終了すると、会議システム１の操作者（発表者等）は、会議開始操作（会議開始を示す会議開始ボタン（不図示）の押下等）を実行する。当該会議開始ボタンは、たとえば、会議管理装置１０の表示部１６ｂに表示される。当該会議開始ボタンが押下されると、登録モードが終了した旨が判定され、ステップＳ２５からステップＳ２６に進む。
【０１２８】
ステップＳ２６では、会議管理装置１０は、ユーザの登録数を記憶するとともに、会議中フラグ（FG_MEETING）をオン（「１」）に変更する。その後、会議における発表者の発表が開始される。
【０１２９】
また、ステップＳ２７では、会議管理装置１０は、生体情報収集のタイミングを測定するためのタイマー（収集タイミング測定用タイマー）をリセットし、計時を開始する。
【０１３０】
また、ステップＳ２８では、会議管理装置１０は、ステータスフラグ（FG_STATUS）を「１」に設定する。
【０１３１】
＜１−５−３．生体情報収集処理：ステップＳ３０＞
次のステップＳ３０（図４および図６参照）では、生体情報の収集処理が実行される。
【０１３２】
ステップＳ３１（図６）では、会議中であるか否かが判定される。会議中フラグ（FG_MEETING）が「１」（オン）である場合には、会議中であると判定され、ステップＳ３２に進む。それ以外の場合には、会議中でないと判定され、ステップＳ３０の処理を一旦終了する。
【０１３３】
ステップＳ３２では、ステータスフラグ（FG_STATUS）が「１」であるか否かが判定される。ステータスフラグ（FG_STATUS）が「１」（「要収集状態」（生体情報の収集を行うべき状態））である場合には、ステップＳ３３に進む。それ以外の場合には、ステップＳ３０の処理を一旦終了する。
【０１３４】
また、ステップＳ３３において、前回のタイマーリセット時点（ステップＳ４７（図７）でのリセット時点（ただし、初回はステップＳ２７（図５）でのリセット時点））からの経過時間が所定時間（たとえば１分）に到達したか否かが、生体情報の収集タイミング測定用タイマー（ステップＳ２７参照）の計測時間によって判定される。当該経過時間が所定時間に到達している場合には、ステップＳ３４に進む。当該経過時間が所定時間に未だ到達していない場合には、ステップＳ３０の処理を一旦終了する。
【０１３５】
ステップＳ３４〜Ｓ３６では、全ての参加者（たとえば、２４名の参加者）の生体情報の収集処理（取得処理）が実行される。
【０１３６】
具体的には、ステップＳ３４において、会議管理装置１０は、ｉ番目のウエアラブル端末５０に対して生体情報検出要求（生体情報の送信要求でもある）を送信する。
【０１３７】
ウエアラブル端末５０は、当該生体情報検出要求を受信すると、生体情報の検出処理を実行する。具体的には、ウエアラブル端末５０は、生体情報検出部５７等を用いて装着者の生体情報を検出し、検出された生体情報を会議管理装置１０に送信する。また、ウエアラブル端末５０は、当該ウエアラブル端末５０の位置情報（座席位置情報等）をも取得し、当該位置情報（装着者の位置情報でもある）をも会議管理装置１０に送信する。詳細には、ウエアラブル端末５０は、その端末ＩＤ（および／または装着者のユーザＩＤ）と装着者の生体情報と装着者の位置情報（ウエアラブル端末５０の位置情報）とを互いに関連付けて会議管理装置１０に送信する。
【０１３８】
そして、会議管理装置１０は、ウエアラブル端末５０から生体情報および位置情報を受信し（ステップＳ３５）、当該生体情報等を格納部１５（好ましくは不揮発性の格納部）に格納する。
【０１３９】
ステップＳ３６では、全ての登録済み装置（ウエアラブル端末５０）から生体情報等が受信されたか否かが判定される。換言すれば、全ての参加者（たとえば、２４名の参加者）の生体情報の収集処理（取得処理）が終了したか否かが判定される。いずれかの参加者の生体情報の収集処理が未だ終了していない旨が判定される場合には、値ｉをインクリメントしてステップＳ３４に戻る。一方、全ての参加者の生体情報の収集処理が終了した旨が判定される場合には、ステップＳ３８に進む。
【０１４０】
このようにしてステップＳ３４〜ステップＳ３６の処理が繰り返されることによって、全ての参加者（たとえば、２４名の参加者）の生体情報の収集処理（取得処理）が実行されると、ステップＳ３８に進む。。
【０１４１】
ステップＳ３８では、会議管理装置１０は、ステータスフラグ（FG_STATUS）を「２」（「要判定状態」（生体情報に基づき心理状態の判定を行うべき状態））に設定する。
【０１４２】
＜１−５−４．心理状態判定処理：ステップＳ４０＞
次のステップＳ４０（図４および図７参照）では、各参加者の心理状態を判定する処理が実行される。
【０１４３】
ステップＳ４１（図７）では、会議中であるか否かが判定される。会議中フラグ（FG_MEETING）が「１」（オン）である場合には、会議中であると判定され、ステップＳ４２に進む。それ以外の場合には、会議中でないと判定され、ステップＳ４０の処理を一旦終了する。
【０１４４】
ステップＳ４２では、ステータスフラグ（FG_STATUS）が「２」であるか否かが判定される。ステータスフラグ（FG_STATUS）が「２」（「要判定状態」（生体情報に基づき心理状態の判定を行うべき状態））である場合には、ステップＳ４３に進む。それ以外の場合には、ステップＳ４０の処理を一旦終了する。
【０１４５】
ステップＳ４３〜Ｓ４５では、全ての参加者（たとえば、２４名の参加者）のそれぞれの心理状態を判定する処理等が実行される。
【０１４６】
まず、ステップＳ４３において、会議管理装置１０は、ｉ番目の生体情報（ｉ番目の参加者の生体情報）を格納部１５から読み出し、当該ｉ番目の生体情報に基づいて、ｉ番目の生体情報に対応する人物（ｉ番目のウエアラブル端末５０の装着者）の心理状態を判定する。
【０１４７】
ここでは、人物の心理状態として、「疑問」を有している状態と、「尿意」を有している状態と、「眠気」を有している状態と、「飽き」を感じている状態と、「苛立ち」を感じている状態（イライラしている状態）と、「興味」を感じている状態と、「緊張状態（あるいは不安状態）」とが互いに区別して判定されるものとする。
【０１４８】
そして、会議管理装置１０は、ステップＳ４３での判定結果を格納部１５に格納する（ステップＳ４４）。
【０１４９】
ステップＳ４５では、全ての登録済み装置（ウエアラブル端末５０）の装着者に関する心理状態の判定処理が完了したか否かが判定される。換言すれば、全ての参加者（たとえば、２４名の参加者）の心理状態の判定処理が終了したか否かが判定される。いずれかの参加者の心理状態の判定処理が未だ終了していない旨が判定される場合には、値ｉをインクリメントしてステップＳ４３に戻る。一方、全ての参加者の心理状態の判定処理が終了した旨が判定される場合には、ステップＳ４７に進む。
【０１５０】
このようにしてステップＳ４３〜ステップＳ４５の処理が繰り返されることによって、全ての参加者（たとえば、２４名の参加者）の心理状態の判定処理が実行されると、ステップＳ４７に進む。
【０１５１】
ステップＳ４７では、会議管理装置１０は、次の生体情報の収集処理（ステップＳ３０）（およびそれに引き続く心理状態判定処理（ステップＳ４０））に向けて、生体情報の収集タイミング測定用タイマー（ステップＳ２７参照）をリセットする。これに応じてリセット時点からの時間計測が開始される。
【０１５２】
ステップＳ４８では、会議管理装置１０は、ステータスフラグ（FG_STATUS）を「１」（「要収集状態」（生体情報の収集を行うべき状態））に設定する（戻す）。
【０１５３】
＜１−５−５．アドバイス決定処理：ステップＳ５０＞
次のステップＳ５０（図４および図１１参照）では、会議へのアドバイス（提案内容）の決定処理が実行される。
【０１５４】
当該アドバイス（提案内容）は、ステップＳ４０で判定された心理状態に基づいて決定される（図１１参照）。
【０１５５】
たとえば、心理状態の集計対象に関するモードが「全参加者対象モード」に設定されている場合には、次のようにして会議への提案内容が決定される。
【０１５６】
具体的には、全参加者のうち所定程度（所定割合）（たとえば、１０％）以上の参加者が「疑問」を有している状態（換言すれば、会議の内容に関して「疑問」を有している状態）である旨が複数の参加者の生体情報に基づいて判定される場合、会議における「質疑応答期間」（質問タイム）に移行すべき旨が、会議への提案内容として決定される。
【０１５７】
また、全参加者のうち所定程度（所定割合）（たとえば、２０％）以上の参加者が「尿意」を有している状態である旨が複数の参加者の生体情報に基づいて判定される場合、会議における「トイレ休憩（期間）」に移行すべき旨が、会議への提案内容として決定される。
【０１５８】
また、全参加者のうち所定程度（所定割合）（たとえば、３０％）以上の参加者が「眠気」を有している状態である旨が複数の参加者の生体情報に基づいて判定される場合、会議における「コーヒータイム」に移行すべき旨が、会議への提案内容として決定される。このような提案内容に応じて「コーヒータイム」に移行することによれば、各参加者は気持ちをリフレッシュし、会議再開後においては発表者から各参加者への伝達が比較的円滑に行われる可能性が高い。なお、「コーヒータイム」（リフレッシュ用飲料の提供期間とも称される）は、会議が一時的に中断される休憩期間であってもよいが、会議が（中断されずに）継続されつつコーヒー等の飲料が提供される期間であってもよい。また、コーヒーに代えて紅茶あるいは緑茶などの他の飲料が提供されてもよい。
【０１５９】
また、全参加者のうち所定程度（所定割合）（たとえば、３０％）以上の参加者が「飽き」を感じている状態である旨が複数の参加者の生体情報に基づいて判定される場合、会議における議題を次の議題に進行させるべき旨が、会議への提案内容として決定される。
【０１６０】
また、全参加者のうち所定程度（所定割合）（たとえば、１０％）以上の参加者が「苛立ち」（イライラ）を感じている状態である旨が複数の参加者の生体情報に基づいて判定される場合、会議の発表者の話し方を修正すべき旨（声を大きくすること、および／または話すスピードを落とすこと）が、会議への提案内容として決定される。ここでは、参加者が苛立ちを感じる理由として、発表者の発言内容がうまく聞き取れないこと等を想定する。このような状況において発表者が話し方を修正すること（声を大きくすること、および／または話すスピードを落とすこと）によれば、このような苛立ちが解消され得る。たとえば、マイク音量の調整がうまく出来ていない場合などにも有効である。
【０１６１】
また、全参加者のうち所定程度（所定割合）（たとえば、２０％）以上の参加者が「興味」を感じている状態（換言すれば、会議における議事進行中の話題に興味を感じている状態）である旨が複数の参加者の生体情報に基づいて判定される場合、当該話題に関する追加情報（詳細情報）を各参加者に提供すべき旨が、会議への提案内容として決定される。このような提案内容に応じて、発表者は、当該話題に関する（詳細情報）を提供すること（たとえば、当該話題に関連する動画を再生すること、および／または当該話題に関連する実物（展示物）の紹介あるいは商談コーナーの存在等の紹介を行うこと等）が可能である。これによれば、比較的多くの参加者が興味を有している内容に関連する情報を効率的に提供することが可能である。
【０１６２】
また、全参加者のうち所定程度（所定割合）（たとえば、２０％）以上の参加者が「緊張状態あるいは不安状態」を有している状態）である旨が複数の参加者の生体情報に基づいて判定される場合、会議の雰囲気を和らげる話術を採用すべき（ジョーク（冗談）を言うこと等）旨を提案内容として決定する。
【０１６３】
このようにして、複数の参加者のうち所定程度以上の参加者が特定の心理状態を有している旨が当該複数の参加者の生体情報に基づいて判定される場合、当該特定の心理状態に対応する内容が提案内容として決定される。
【０１６４】
なお、心理状態の集計対象に関するモードが「特定参加者対象モード」に設定されている場合にも、上記と同様にして決定されればよい。ただし、全参加者のうち所定程度（所定割合）以上の参加者が特定の心理状態を有しているか否かの判定条件に代えて、全参加者のうち特定の参加者が特定の心理状態を有しているか否かの判定条件が用いられればよい。そして、特定の参加者が特定の心理状態を有している旨が当該特定の参加者の生体情報に基づいて判定される場合、当該特定の心理状態に対応する内容が提案内容として決定されればよい。
【０１６５】
＜１−５−６．画像作成処理：ステップＳ６０＞
次のステップＳ６０（図４および図８参照）では、各参加者の心理状態に関する集計結果と会議への提案内容とを反映した画像の生成処理が実行される。
【０１６６】
ステップＳ６１（図８）では、会議中であるか否かが判定される。会議中フラグ（FG_MEETING）が「１」（オン）である場合には、会議中であると判定され、ステップＳ６２に進む。それ以外の場合には、会議中でないと判定され、ステップＳ６０の処理を一旦終了する。
【０１６７】
ステップＳ６２では、提案内容の表示モードとして「グラフモード」と「マップモード」とのいずれが設定されているか否かが判定される。上述のように、ユーザの設定操作等に応じて適宜の内容（提案内容の表示モード）が設定されており、ステップＳ６２では当該設定の内容に応じて、グラフモードとマップモードとの２つの表示モードのうちの一方の表示モードが提案内容の表示モードとして決定（選択）される。「グラフモード」が選択される場合、処理はステップＳ６３に進む。一方、「マップモード」が選択される場合、処理はステップＳ６７（後述）に進む。
【０１６８】
ステップＳ６３では、心理状態の集計対象に関するモードとして、「全参加者対象モード」と「特定参加者対象モード」とのいずれが設定されているか否かが判定される。上述のように、ユーザの設定操作等に応じて適宜の内容（詳細には、集計対象に関する２つのモードのいずれか）が設定されており、ステップＳ６３では当該設定の内容に応じて、「全参加者対象モード」と「特定参加者対象モード」との２つのモードのうちの一方のモードが、心理状態の集計対象に関するモードとして決定（選択）される。
【０１６９】
「全参加者対象モード」が選択される場合、処理はステップＳ６５に進む。ステップＳ６５では、全て（たとえば２４名）の参加者に関する心理状態が集計される。そして、ステップＳ６６において、ステップＳ６５における集計結果を示すグラフ画像Ｇ１（図１４参照）とステップＳ５０で決定された提案内容を示す画像Ｇ２１（図１４参照）とが生成される。なお、これらの画像は、別個の画像データとして生成されてもよく、あるいは１つの画像データとして生成されてもよい。
【０１７０】
「特定参加者対象モード」が選択される場合、処理はステップＳ６４に進む。ステップＳ６４では、特定の参加者（たとえば、社内会議において会議の内容に関する決裁権限を有している人物（社長、部長等））に関する心理状態が集計（取得）される。そして、ステップＳ６６において、ステップＳ６４における集計結果を示すグラフ画像Ｇ３（図１７参照）とステップＳ５０で決定された提案内容を示す画像Ｇ２１（図１７参照）とが生成される。
【０１７１】
また、ステップＳ６７では、各参加者の生体情報（および当該各参加者の心理状態）と各装着者の位置情報（ウエアラブル端末５０の位置情報）とが互いに関連付けられた状態での集計処理が行われる。そして、ステップＳ６８において、ステップＳ６７における集計結果を示すグラフ画像Ｇ５（図１８参照）とステップＳ５０で決定された提案内容を示す画像Ｇ２１（図１８参照）とが生成される。
【０１７２】
＜１−５−７．出力処理（通知処理）：ステップＳ７０＞
次のステップＳ７０（図４および図９参照）では、会議へのアドバイス等を所定の通知先に通知する処理（ステップＳ６０で生成された画像の表示出力処理等）が実行される。
【０１７３】
ステップＳ７１（図９）では、会議中であるか否かが判定される。会議中フラグ（FG_MEETING）が「１」（オン）である場合には、会議中であると判定され、ステップＳ７２に進む。それ以外の場合には、会議中でないと判定され、ステップＳ７０の処理を一旦終了する。
【０１７４】
ステップＳ７２では、提案内容の通知先に関するモードとして「パブリック通知モード」と「プライベート通知モード」とのいずれが設定されているか否かが判定される。上述のように、ユーザの設定操作等に応じて適宜の内容（提案内容の通知先に関するモード）が設定されており、ステップＳ７２では当該設定の内容に応じて、「パブリック通知モード」と「プライベート通知モード」との２つのモード（通知先モード）のうちの一方の通知先モードが、提案内容の通知先に関するモードとして決定（選択）される。「パブリック通知モード」が選択される場合、処理はステップＳ７３に進む。一方、「プライベート通知モード」が選択される場合、処理はステップＳ７４に進む。
【０１７５】
ステップＳ７３では、ステップＳ６０で生成された画像（図１４、図１７あるいは図１８等）が、表示装置３０（プロジェクタ装置）を用いて表示される。たとえば、図１３に示すように、発表用のスライド画像を全表示画面の大きさよりも少し小さめに表示した上で、表示画面内の右下側の空白領域に、ステップＳ６０で生成された画像Ｇ１，Ｇ２１が重畳表示される。換言すれば、会議の議事内容を表示する全参加者向け表示手段（プロジェクタ画面）に会議への提案内容（画像Ｇ２１等）が表示されることによって、当該提案内容が全参加者（全聴講者）および発表者等に通知される。また、全参加者（全聴講者）の生体情報に基づいて判定された当該全参加者の心理状態に関する判定結果（集計結果）（画像Ｇ１等）も表示（通知）される。当該心理状態に関する判定結果は、上述のようにたとえば、グラフ形式あるいはマップ形式等で表示される。
【０１７６】
ステップＳ７４では、ステップＳ６０で生成された画像（図１４、図１７あるいは図１８等）が、（発表者用の端末としても利用される）会議管理装置１０の表示部１６ｂを用いて表示される。換言すれば、会議の議事内容を表示する発表者向け表示手段（パソコン画面）に会議への提案内容（画像Ｇ２１等）が表示されることによって、提案内容が発表者に通知される。また、全参加者（全聴講者）の生体情報に基づいて判定された当該全参加者の心理状態に関する判定結果（集計結果）（画像Ｇ１等）も表示（通知）される。
【０１７７】
なお、ステップＳ７４では、表示装置３０（プロジェクタ装置）においては、発表用の資料（図１２参照）のみが表示され、会議への提案内容（および心理状態の集計結果）は表示されない。すなわち、会議への提案内容等は、会議における複数の参加者には通知されず、会議における発表者（および会議運営関係者）にのみ通知される。
【０１７８】
また、ステップＳ７３，Ｓ７４において、会議運営関係者の端末等にも同様の画像が配信されてもよい。換言すれば、会議の議事内容を表示する会議運営関係者向け表示手段（携帯端末の表示画面等）に会議への提案内容もが表示されることによって、当該提案内容が会議運営関係者に通知されてもよい。
【０１７９】
＜１−５−８．終了処理：ステップＳ８０＞
ステップＳ８０（図４および図１０参照）では、終了処理が実行される。
【０１８０】
ステップＳ８１では会議が終了したか否かが判定される。
【０１８１】
会議が終了すると、発表者は、会議終了操作（会議終了ボタン（不図示）の押下等）を実行する。当該会議終了ボタンは、たとえば、発表者による操作（メニュー画面呼出操作等）に応じて会議管理装置１０の表示部１６ｂに表示される。
【０１８２】
会議管理装置１０は、当該会議終了操作を検出するまでは、会議が未だ終了していない旨をステップＳ８１にて判定する。会議が未だ終了していない旨がステップＳ８１にて判定される場合には、ステップＳ８０の処理を一旦終了し、再びステップＳ２０に戻る（図４参照）。
【０１８３】
一方、会議管理装置１０は、当該会議終了操作を検出すると、会議が終了した旨をステップＳ８１にて判定する。そして、処理はステップＳ８２に進む。
【０１８４】
ステップＳ８２では会議中フラグ（FG_MEETING）がオフ（「ゼロ」）に変更され、次のステップＳ８３に進む。
【０１８５】
ステップＳ８３では、次の会議の予定が登録されているか否かが判定される。
【０１８６】
次の会議が予約されていない場合には、図４の処理を終了する。
【０１８７】
一方、次の会議が予約されている場合には、ステップＳ８３からステップＳ８４に進む。ステップＳ８４では、ステータスフラグ（FG_STATUS）が初期化（ゼロに設定）される。また、ステップＳ８５では、ユーザ登録数（ここでは参加者登録数）も初期化（ゼロに設定）される。その後、再びステップＳ２０に戻る。
【０１８８】
以上のような動作によれば、会議中における参加者の生体情報が取得され（ステップＳ３０）、当該参加者の生体情報に基づいて当該参加者の心理状態が判定される（ステップＳ４０）。そして、参加者の心理状態に関する判定結果に基づいて会議への提案内容が決定され（ステップＳ５０）、会議の発表者等に対して当該提案内容が通知される（ステップＳ６０，Ｓ７０）。したがって、会議の発表者は、会議管理装置１０による提案内容を知得することによって、参加者の状況を適切に考慮し、会議をより効率的に進行させることが可能である。
【０１８９】
＜２．第２実施形態＞
第２実施形態は、第１実施形態の変形例である。以下では、第１実施形態との相違点を中心に説明する。
【０１９０】
第２実施形態においては、会議の参加者の生体情報のみならず、会議の「発表者」の生体情報もが取得される。具体的には、会議の発表者もウエアラブル端末５０を装着し、ウエアラブル端末５０によって検出された生体情報が（第１実施形態における各参加者の生体情報と同様に）ウエアラブル端末５０から会議管理装置１０に送信される。会議管理装置１０は、ウエアラブル端末５０から発表者の生体情報をも受信し（ステップＳ３０（図４参照））、発表者の生体情報に基づいて当該発表者の心理状態をも判定する（ステップＳ４０）。そして、会議管理装置１０は、発表者の心理状態と各参加者の心理状態とに関する判定結果に基づいて提案内容を決定する（ステップＳ５０）。このような態様によれば、発表者の心理状態をも考慮して、会議への提案内容がより適切に決定され得る。
【０１９１】
なお、この第２実施形態でも、上述の３種類のモード（表示モード、集計対象モード、通知先モード）が適宜設定されて利用され得る。
【０１９２】
また、第２実施形態においては、会議運営関係者としての通知先（通知先人物）には、現在の発表者に代わって発表を行う「代行発表者」（後述）が含まれることが特に好ましい。より具体的には、パブリック通知モードが採用されればよい。あるいはプライベート通知モードが採用されてもよい。プライベート通知モードが採用される場合には、代行発表者にも通知が行われるように表示動作あるいは音声出力動作が行われればよい。具体的には、代行発表者の利用端末にて会議管理装置１０からの通知が出力されればよい。
【０１９３】
さて、図２１は、第２実施形態において決定される提案内容を示す図である。図２１を参照しながら、第２実施形態における提案内容の決定処理（ステップＳ５０）等について説明する。
【０１９４】
図２１に示されるように、まず、発表者の心理状態が上述の７つの心理状態のいずれかであると判定されない場合には、上記第１実施形態と同様に、参加者の心理状態の判定結果に応じた提案内容（図１１も参照）が決定される。
【０１９５】
また、発表者の心理状態が、次の４つの心理状態、具体的には、「疑問」、「眠気」、「飽き」、「興味（あるいは不安）」の心理状態のいずれかとして判定される場合にも、上記第１実施形態と同様に、参加者の心理状態の判定結果に応じた提案内容（図１１参照）が決定される。
【０１９６】
一方、発表者が「緊張（あるいは不安）」の心理状態を有する旨が判定される場合には、次述するように、発表者の当該心理状態と参加者の心理状態との双方に基づいて、会議への提案内容が決定される。この場合、上記第１実施形態とは異なる提案内容（図１１および図２１参照）が決定されることもある。
【０１９７】
具体的には、まず、発表者が「緊張／不安」の心理状態を有し且つ所定程度以上の参加者が「疑問」の心理状態を有している場合は、上記第１実施形態と同様の提案内容（質問タイムへの移行）が決定される。また、発表者が「緊張／不安」の心理状態を有し且つ所定程度以上の参加者が「尿意」の心理状態を有している場合にも、上記第１実施形態と同様の提案内容（トイレ休憩タイムへの移行）が決定される。同様に、発表者が「緊張／不安」の心理状態を有し且つ所定程度以上の参加者が「眠気」の心理状態を有している場合、あるいは発表者が「緊張／不安」の心理状態を有し且つ所定程度以上の参加者が「興味」の心理状態を有している場合にも、上記第１実施形態と同様の提案内容（コーヒータイムへの移行、あるいは、追加情報の提供）がそれぞれ決定される。
【０１９８】
これに対して、発表者が「緊張／不安」の心理状態を有し且つ所定程度以上の参加者が「緊張／不安」の心理状態を有している場合（所定程度以上の参加者が緊張あるいは不安の心理状態を有している旨の判定結果が得られる場合）には、上記第１実施形態と同様の提案内容（ジョーク（冗談）を言うこと）は決定されず保留される。この場合、いずれの提案内容も発表者には通知されない。これによれば、「緊張（あるいは不安）」の心理状態を有する発表者に対して、更なる心理的負荷（提案内容に応えようとする心理的負荷）が加わることを回避することが可能である。
【０１９９】
同様に、発表者が「緊張／不安」の心理状態を有し且つ所定程度以上の参加者が「苛立ち」の心理状態を有している場合には、上記第１実施形態と同様の提案内容（話し方の改善）は決定されず保留される。また同様に、発表者が「緊張／不安」の心理状態を有し且つ所定程度以上の参加者が「飽き」の心理状態を有している場合には、上記第１実施形態と同様の提案内容（次の議題への移行）は決定されず保留される。これらの場合、いずれの提案内容も発表者には通知されない。これによれば、「緊張／不安」の心理状態を有する発表者に対して、更なる心理的負荷（提案内容に応えようとする心理的負荷）が加わることを回避することが可能である。
【０２００】
また、発表者が「苛立ち」の心理状態を有する旨が判定される場合には、次述するように、発表者の当該心理状態と参加者の心理状態との双方に基づいて、会議への提案内容が決定される。なお、発表者の「苛立ち」の原因としては、発明者の理想通りに会議が進まないこと等が例示される。
【０２０１】
具体的には、まず、発表者が「苛立ち」の心理状態を有し且つ所定程度以上の参加者が「疑問」の心理状態を有している場合は、上記第１実施形態と同様の提案内容（質問タイムへの移行）が決定される。また、発表者が「苛立ち」の心理状態を有し且つ所定程度以上の参加者が「尿意」の心理状態を有している場合にも、上記第１実施形態と同様の提案内容（トイレ休憩）が決定される。さらに、発表者が「苛立ち」の心理状態を有し且つ所定程度以上の参加者が「興味」の心理状態を有している場合にも、上記第１実施形態と同様の提案内容（追加情報の提供）が決定される。
【０２０２】
これに対して、発表者が「苛立ち」の心理状態を有し且つ所定程度以上の参加者が「緊張（あるいは不安）」の心理状態を有している場合には、上記第１実施形態と同様の提案内容（ジョーク（冗談）を言うこと）は決定されず保留される。この場合、いずれの提案内容も発表者には通知されない。これによれば、「緊張（不安）」の心理状態を有する発表者に対して更なる心理的負荷（提案内容に応えようとする心理的負荷）が加わって発表者の苛立ちが増大すること、を回避することが可能である。
【０２０３】
また、発表者が「苛立ち」の心理状態を有し且つ所定程度以上の参加者が「苛立ち」の心理状態を有している場合には、上記第１実施形態と同様の提案内容（話し方の改善）は決定されず、これに代えて、「休憩タイム」に移行すべき旨が会議への提案内容として決定される。「休憩タイム」への移行によって、発表者の「苛立ち」を抑制するとともに参加者の「苛立ち」を抑制することが可能である。
【０２０４】
また、発表者が「苛立ち」の心理状態を有し且つ所定程度以上の参加者が「飽き」の心理状態を有している場合には、上記第１実施形態と同様の提案内容（次の議題への移行）は決定されず、これに代えて、「休憩タイム」に移行すべき旨が会議への提案内容として決定される。「休憩タイム」への移行によって、発表者の「苛立ち」を抑制するとともに参加者の「飽き」を解消することが可能である。
【０２０５】
また、発表者が「苛立ち」の心理状態を有し且つ所定程度以上の参加者が「眠気」の心理状態を有している場合には、上記第１実施形態と同様の提案内容（コーヒータイムへの移行）は決定されず、これに代えて、「休憩タイム」に移行すべき旨が会議への提案内容として決定される。「休憩タイム」への移行によって、発表者の「苛立ち」を抑制するとともに参加者の「眠気」を解消することが可能である。
【０２０６】
また、発表者が「尿意」の心理状態を有している旨が判定される場合には、次述するように、発表者の当該心理状態と参加者の心理状態との双方に基づいて、会議への提案内容が決定される。
【０２０７】
具体的には、まず、発表者が「尿意」の心理状態を有し且つ所定程度以上の参加者が「眠気」の心理状態を有している旨の判定結果が得られる場合、あるいは、発表者が「尿意」の心理状態を有し且つ所定程度以上の参加者が「飽き」の心理状態を有している旨の判定結果が得られる場合には、「休憩タイム」に移行すべき旨が会議への提案内容として決定される。同様に、発表者が「尿意」の心理状態を有し且つ所定程度以上の参加者が「尿意」の心理状態を有している旨の判定結果が得られるときにも、「休憩タイム」に移行すべき旨が会議への提案内容として決定される。「休憩タイム」（休憩期間）への移行によって、発表者がトイレに行く時間を確保することができるとともに、参加者の「眠気」、「飽き」、あるいは「尿意」をも解消することが可能である。
【０２０８】
また、発表者が「尿意」の心理状態を有し且つ所定程度以上の参加者が「疑問」の心理状態を有している旨の判定結果が得られるとき、あるいは、発表者が「尿意」の心理状態を有し且つ所定程度以上の参加者が「興味」の心理状態を有している旨の判定結果が得られるときには、発表者を新たな発表者へと交代すべき旨が会議への提案内容として決定される。発表者の交代（元の発表者から新たな発表者（代行発表者）への交代）によって会議が続行されれば、元の発表者がトイレに行く時間を確保することができるとともに、（会議に積極的に参加している）参加者を邪魔しなくて済む。
【０２０９】
また、同様に、発表者が「尿意」の心理状態を有し且つ所定程度以上の参加者が「苛立ち」の心理状態を有している旨の判定結果が得られるとき、あるいは、発表者が「尿意」の心理状態を有し且つ所定程度以上の参加者が「緊張あるいは不安」の心理状態を有している旨の判定結果が得られるときにも、発表者を交代すべき旨が会議への提案内容として決定される。
【０２１０】
なお、会議への提案内容として「代行発表者への交代」が決定される場合には、（上述のように）当該代行発表者に対しても当該提案内容が通知されることが好ましい。これによれば、代行発表者は元の発表者からの交代依頼を予見することができるので、元の発表者から当該代行発表者への交代を円滑に行うことが可能である。
【０２１１】
このように、発表者が「尿意」の心理状態を有している旨が判定される場合には、発表者の当該心理状態と参加者の心理状態との双方に基づいて会議への提案内容が決定される。したがって、より適切な提案内容が決定され得る。
【０２１２】
また、上述の各種の決定動作を視点を変えて把握すると、次のように表現することが可能である。具体的には、図２１に示されるように所定程度以上の参加者が特定の心理状態を有している旨の判定結果が得られる場合において、常に上記第１実施形態と同様の内容が会議への提案内容として決定されるのではなく、発表者の心理状態にも基づいて会議への提案内容が決定される。
【０２１３】
たとえば、所定程度以上の参加者が「苛立ち」を有している旨の判定結果が得られる場合において、発表者の心理状態にも基づいて会議への提案内容が決定される。具体的には、発表者が「疑問」、「眠気」、「飽き」、「興味」の心理状態のいずれかを有しているときには、第１実施形態と同様に、「話し方の改善」が提案内容として決定される。一方、発表者が「緊張（不安）」を有しているときにおいては、当該提案内容（「話し方の改善」）は保留され、提案内容自体が決定されない。また、発表者が「苛立ち」を有しているときには、「休憩タイム」が提案内容として決定される。また、発表者が「尿意」を有しているときには、「発表者の交代」が提案内容として決定される。
【０２１４】
参加者に関する他の各心理状態に関しても同様に、発表者の心理状態にも基づいて、それぞれ提案内容が決定される。
【０２１５】
このように、会議の提案内容は、参加者の心理状態に基づいて一意に決定されるのではなく、発表者の心理状態にも基づいて決定される。これによれば、より好適な提案内容が決定され得る。
【０２１６】
なお、ここでは、発表者が「尿意」の心理状態を有している旨が判定される場合において、参加者が「飽き」の心理状態を有している旨が判定されるときには、「休憩タイム」が提案内容として決定されているが、これに限定されない。たとえば、このときには「発表者交代」が提案内容として決定されてもよい。参加者が他の心理状態を有している旨が判定されるときも同様である。また、発表者が「尿意」の心理状態を有している旨が判定される場合において、参加者が「苛立ち」の心理状態を有している旨が判定されるとき等においては、図２１の決定内容（「発表者交代」）とは異なり、（逆に）「休憩タイム」が提案内容として決定されてもよい。
【０２１７】
＜３．変形例等＞
以上、この発明の実施の形態について説明したが、この発明は上記説明した内容のものに限定されるものではない。
【０２１８】
たとえば、上記各実施形態においては、グラフモードにおいては棒グラフが用いられているが、これに限定されず、円グラフ等の他の種類のグラフが用いられてもよい（図１６参照）。図１６においては、円グラフを含む画像Ｇ２とステップＳ５０で決定された提案内容を示す画像Ｇ２１とが併せて表示される態様が例示されている。
【０２１９】
また、上記各実施形態においては、全参加者通知モードでは表示画面内の右下の空白領域にグラフが表示されている（図１３参照）が、これに限定されない。たとえば、図１５に示すように、表示画面内の右上の空白領域等にグラフ（図１５では円グラフ）を含む画像Ｇ２等（図１６参照）が表示されるようにしてもよい。
【０２２０】
また、各実施形態においては、マップモードにおいて図１８のような画像が表示されているが、これに限定されず、マップモードにおいて図１９のような画像が表示されてもよい。
【０２２１】
図１９のマップ画像においては、図１８のマップ画像と同様に、会議の開催会場内における各参加者の存在位置（座席位置等）が示されているとともに各参加者の心理状態の情報が示されている。なお、異なる複数の心理状態は、異なるハッチング（および／または色）を用いて互いに区別されている。
【０２２２】
さらに、図１９のマップ画像においては、会議の開催会場が複数の（ここでは４つ）の区分領域に区分されている。より詳細には、発表者側から見て、左手前側の領域（左前領域）と左奥側の領域（左奥領域）と右手前側の領域（右前領域）と右奥側の領域（右奥領域）との４つの区分領域に区分されている。各区分領域には、それぞれ、６人が包含されている。換言すれば、複数（ここでは２４名）の参加者が、その座席の位置に応じて、複数のグループに区分されている。
【０２２３】
そして、図１９のマップ画像（マップ情報）においては、複数の区分領域のそれぞれに属する参加者の心理状態に応じて得点が付与され、当該得点に関する集計結果が区分領域ごとに示されている。具体的には、ネガティブな心理状態よりもポジティブな心理状態に対して比較的高い得点が付与される得点付与手法によって、当該複数の区分領域のそれぞれに属する参加者の心理状態に応じて得点が付与される。
【０２２４】
ここで、ポジティブな心理状態は、会議に積極的に参加しようとする心理状態、換言すれば、会議への参加に関する積極的な心理状態等を含む。また、ネガティブな心理状態は、会議に積極的に参加しようとする意思が希薄な心理状態、換言すれば、会議への参加に関する消極的な心理状態等を含む。
【０２２５】
図２０は、心理状態ごとの得点の一例を示す図である。具体的には、７つの心理状態（「疑問」、「尿意」、「眠気」、「飽き」、「苛立ち」、「興味」、「緊張／不安」）に対して、「８点」、「２点」、「１点」、「０点」、「４点」、「１０点」、「５点」がそれぞれ付与されている。
【０２２６】
図２０に示されるように、ポジティブな心理状態に対しては、比較的高い得点が付与される。たとえば、ユーザ心理状態「興味」（会議に積極的に参加し「興味」を感じている状態）に対しては「１０」点が付与される。また、ユーザ心理状態「疑問」（会議に積極的に参加し「疑問」を感じている状態）に対しては「８」点が付与される。
【０２２７】
一方、ネガティブな心理状態に対しては、比較的低い得点が付与される。たとえば、ユーザ心理状態「飽き」（会議の内容に「飽き」を感じている状態）に対しては「０」点が付与され、ユーザ心理状態「眠気」（会議に積極的とは言えず「眠気」を感じている状態）に対しては「１」点が付与される。
【０２２８】
図１９のマップ画像においては、各区分領域に所属する複数の参加者の心理状態に対する得点の合計値（合計得点）が、当該各区分領域に重畳して表示されている。たとえば、
左前領域に所属する６人の参加者の心理状態に対する得点の合計値「５４」（＝１０＋１０＋１０＋８＋８＋８）点が、当該左前領域に重畳して表示されている。同様に、左奥領域に対しては数字「５０」（点）が重畳表示されており、右前領域に対しては数字「４３」（点）が重畳表示されており、右奥領域に対しては数字「２８」（点）が重畳表示されている。
【０２２９】
会議においては、比較的類似する対象に関心を持っている参加者が比較的近くに集まって着座することも多い。たとえば、異なる会社が集まる会議において同じ会社内の複数の人物（あるいは或る１つの会社にて異なるグループが集まる会議において同じグループ内の複数の人物等）が比較的近くに集まって着座することも多い。
【０２３０】
会議の発表者は、図１９のような得点付きマップ情報を視認することによって、会議の会場内において比較的積極的に会議に参加している人が集まっている部分領域を特定することが可能である。そして、当該発表者は、比較的高い得点が付与された区分領域内の参加者を意識した対策を施しつつ発表を行うことによって、比較的高いプレゼンテーション効果を達成することが可能である。
【０２３１】
当該対策としては、比較的高い得点が付与された区分領域（たとえば左前領域あるいは左側領域）の方向に意識的に視線を向けて発表者が発表を行うことが例示される。また、当該区分領域内の参加者に向けて発表者が質問を投げかけることも例示される。あるいは、当該区分領域内の参加者がプロジェクタ画面（プロジェクタ装置３０によるスクリーンへの投影画面）を見るにあたって、当該区分領域の参加者からプロジェクタ画面への視線を遮らないような位置（当該区分領域の参加者の邪魔にならないような位置）に発表者が立つことなども例示される。
【０２３２】
また、上記各実施形態においては、会議管理装置１０が各参加者の心理状態を判定して取得しているが、これに限定されず、ウエアラブル端末５０が各参加者の心理状態を判定するようにしてもよい。その場合、会議管理装置１０は、各参加者の心理状態に関する判定結果をウエアラブル端末５０から受信して取得すればよい。
【０２３３】
また、上記第２実施形態においては、「発表者」の心理状態が「参加者」（聴講者）の心理状態とは全く別異のものとして考慮されて会議への提案内容が決定されているが、これに限定されない。たとえば、会議の「発表者」の心理状態が会議におけるＮ人の「参加者」の心理状態と同等に考慮されて（（Ｎ＋１）人目の参加者の心理状態として考慮されて）、会議への提案内容が決定されるようにしてもよい。
【０２３４】
また、上記各実施形態においては、各種モードは会議開始前に予め設定され会議中には変更されない態様が例示されているが、これに限定されない。たとえば、会議中に各種モード（表示モード、集計対象モード、通知先モード）の設定内容の少なくとも１つが変更されるようにしてもよい。
【符号の説明】
【０２３５】
１  会議システム
１０  会議管理装置
３０  プロジェクタ装置（表示装置）
５０  ウエアラブル端末（生体情報検出装置）
Ｐ１  発表者
Ｕ１  参加者（聴講者）
【図１】
2018084874.tif 000003
【図２】
2018084874.tif 000004
【図３】
2018084874.tif 000005
【図４】
2018084874.tif 000006
【図５】
2018084874.tif 000007
【図６】
2018084874.tif 000008
【図７】
2018084874.tif 000009
【図８】
2018084874.tif 000010
【図９】
2018084874.tif 000011
【図１０】
2018084874.tif 000012
【図１１】
2018084874.tif 000013
【図１２】
2018084874.tif 000014
【図１３】
2018084874.tif 000015
【図１４】
2018084874.tif 000016
【図１５】
2018084874.tif 000017
【図１６】
2018084874.tif 000018
【図１７】
2018084874.tif 000019
【図１８】
2018084874.tif 000020
【図１９】
2018084874.tif 000021
【図２０】
2018084874.tif 000022
【図２１】
2018084874.tif 000023